(57)【要約】【課題】  フレネルレンズ３０をフィルム化した場合でも、レンチキュラーレンズアレイ４０の変形を防止することが可能な、透過型スクリーン２０を提供する。【解決手段】  映像光を略平行光に変換するフレネルレンズ３０が光源側に配置され、映像光を単位レンズごとに発散させるレンチキュラーレンズアレイ４０が観察者側に配置された透過型スクリーン２０であって、フレネルレンズ３０がフィルム状に形成され、レンチキュラーレンズアレイ４０の観察者側には、ガラス材料からなる支持基板５０が固着されている構成とした。【選択図】        図２
2006189545.tif 000002
【特許請求の範囲】
【請求項１】
映像光を略平行光に変換するフレネルレンズが光源側に配置され、前記映像光を単位レンズごとに発散させる拡散レンズアレイが観察者側に配置されてなる透過型スクリーンであって、
前記フレネルレンズはフィルム状に形成され、
前記拡散レンズアレイの観察者側には透明部材が固着され、
前記透明部材が、ガラス材料によって構成されていることを特徴とする透過型スクリーン。
【請求項２】
映像光を略平行光に変換するフレネルレンズが光源側に配置され、前記映像光を単位レンズごとに発散させる拡散レンズアレイが観察者側に配置されてなる透過型スクリーンであって、
前記フレネルレンズはフィルム状に形成され、
前記拡散レンズアレイは、前記単位レンズを基材の光源側に配置して構成され、
前記拡散レンズアレイの基材の観察者側には、透明部材が固着され、
前記拡散レンズアレイの基材と、前記透明部材とが、環境特性の類似する材料によって構成されていることを特徴とする透過型スクリーン。
【請求項３】
前記拡散レンズアレイの基材と、前記透明部材とが、メタクリル酸メチルとスチレンとの共重合体によって構成されていることを特徴とする請求項２に記載の透過型スクリーン。
【請求項４】
前記透明部材が、メタクリル酸メチルとスチレンとの共重合体またはポリメタクリル酸メチルによって構成され、
前記拡散レンズアレイの基材が、アクリルによって構成されていることを特徴とする請求項２に記載の透過型スクリーン。
【請求項５】
前記透明部材の少なくとも観察者側の表層部と、前記拡散レンズアレイの基材とが、ポリエチレンテレフタレートによって構成されていることを特徴とする請求項２に記載の透過型スクリーン。
【請求項６】
前記透明部材は、スクリーン全体の剛性を確保しうる厚さに形成されていることを特徴とする請求項１ないし請求項５のいずれかに記載の透過型スクリーン。
【請求項７】
前記透明部材の観察者側には、スクリーン全体の剛性を確保しうる支持基板が配置されていることを特徴とする請求項１ないし請求項５のいずれかに記載の透過型スクリーン。
【請求項８】
請求項１ないし請求項７のいずれかに記載の透過型スクリーンを備えたことを特徴とする背面投射型ディスプレイ装置。
【発明の詳細な説明】
【技術分野】
【０００１】
本発明は、透過型スクリーンおよび背面投射型ディスプレイ装置に関するものである。
【背景技術】
【０００２】
透過型スクリーンを備えた背面投射型ディスプレイ装置として、リアプロジェクションテレビが知られている。リアプロジェクションテレビは、光源としてのプロジェクタから映像光を投射し、反射鏡により反射させて、略長方形平板状をなす透過型スクリーンの背面に入射させるものである。これにより、透過型スクリーンの正面に位置する観察者が、透過した映像光を観察することができるようになっている。
【０００３】
図４は、従来技術に係る透過型スクリーンの平面断面図である。透過型スクリーン９２０は、映像光を略平行光に変換するフレネルレンズ３０が光源側に配置され、映像光を単位レンズごとに発散させるレンチキュラーレンズアレイ（拡散レンズアレイ）４０が観察者側に配置されて構成されている（例えば、特許文献１および２参照）。
【０００４】
フレネルレンズ３０は、基材３２と、基材３２の観察者側に配置されたフレネルレンズ３１と、基材３２の光源側に装着された第１拡散板３３とを備えている。この第１拡散板３３により、フレネルレンズ３０の自立性（剛性）が確保されている。
一方、レンチキュラーレンズアレイ４０は、ポリエチレンテレフタレート（ＰＥＴ）からなる基材４２と、基材４２の光源側に配置された紫外線硬化性樹脂からなるレンチキュラーレンズ４１と、基材４２の観察者側に固着された紫外線硬化性樹脂からなる第２拡散板４３とを備えている。この第２拡散板４３により、レンチキュラーレンズアレイ４０の自立性が確保されている。
そして、フレネルレンズ３０およびレンチキュラーレンズアレイ４０の周縁部に配置した枠体（不図示）により両者が共締めされて、透過型スクリーン９２０が形成されている。
【特許文献１】特開２００２−２３６３１９号公報
【特許文献２】米国特許第６３０７６７５号明細書
【特許文献３】特許第３００２４７７号公報
【特許文献４】実開平１−１１７６３４号公報
【発明の開示】
【発明が解決しようとする課題】
【０００５】
上述したフレネルレンズ３０の第１拡散板３３は、比較的厚く形成される。そのため、透過型スクリーン９２０が重厚になり、なおかつコストが高くなる。しかも、第１拡散板３３が厚くなると、透過型スクリーン９２０のフォーカスが甘くなり、解像度および鮮鋭度が悪くなる。
【０００６】
そこで、フレネルレンズ３０のフィルム化が検討されている（例えば、特許文献３および４参照）。これは、基材３２の光源側表面の粗面化等により第１拡散部を形成し、第１拡散板３３を廃止して、フレネルレンズ３０を厚さ０．８ｍｍ以下に薄型化するものである。これにより、透過型スクリーン９２０を軽薄化し、なおかつ低コスト化することができる。しかも、透過型スクリーン９２０の解像度および鮮鋭度を向上させることができる。
【０００７】
しかしながら、フレネルレンズ３０のフィルム化により、レンチキュラーレンズアレイ４０に変形が発生するおそれがある。
上述したレンチキュラーレンズアレイ４０では、基材４２と第２拡散板４３との材料が異なる。これらの部材が熱や吸湿等により膨張すると、枠体により周縁部を固定されたレンチキュラーレンズアレイ４０の中央部に反りが発生し、観察者側または光源側に突出変形することになる。従来の透過型スクリーン９２０では、フレネルレンズ３０における第１拡散板３３の剛性により、上記変形を押さえ付けていた。ところが、フレネルレンズ３０のフィルム化に伴う剛性の低下により、レンチキュラーレンズアレイ４０に上記変形が発生するのである。
【０００８】
本発明は、上記課題を解決するためになされたものであって、フレネルレンズをフィルム化した場合でも、拡散レンズアレイの変形を防止することが可能な、透過型スクリーンの提供を目的とする。
また、表示品質に優れた背面投射型ディスプレイ装置の提供を目的とする。
【課題を解決するための手段】
【０００９】
上記目的を達成するため、本発明に係る透過型スクリーンは、映像光を略平行光に変換するフレネルレンズが光源側に配置され、前記映像光を単位レンズごとに発散させる拡散レンズアレイが観察者側に配置されてなる透過型スクリーンであって、前記フレネルレンズはフィルム状に形成され、前記拡散レンズアレイの観察者側には透明部材が固着され、前記透明部材が、ガラス材料によって構成されていることを特徴とする。
この構成によれば、ガラス材料からなる透明部材の剛性により、レンチキュラーレンズアレイの変形を防止することができる。
【００１０】
また、本発明に係る他の透過型スクリーンは、映像光を略平行光に変換するフレネルレンズが光源側に配置され、前記映像光を単位レンズごとに発散させる拡散レンズアレイが観察者側に配置されてなる透過型スクリーンであって、前記フレネルレンズはフィルム状に形成され、前記拡散レンズアレイは、前記単位レンズを基材の光源側に配置して構成され、前記拡散レンズアレイの基材の観察者側には、透明部材が固着され、前記拡散レンズアレイの基材と、前記透明部材とが、環境特性の類似する材料によって構成されていることを特徴とする。
この構成によれば、温度や湿度等の環境条件が変化しても、拡散レンズアレイの基材と支持基板とが同等に伸縮するので、拡散レンズアレイの変形を防止することができる。
【００１１】
また、前記拡散レンズアレイの基材と、前記透明部材とが、メタクリル酸メチルとスチレンとの共重合体によって構成されていることが望ましい。
また、前記透明部材が、メタクリル酸メチルとスチレンとの共重合体またはポリメタクリル酸メチルによって構成され、前記拡散レンズアレイの基材が、アクリルによって構成されていてもよい。
また、前記透明部材の少なくとも観察者側の表層部と、前記拡散レンズアレイの基材とが、ポリエチレンテレフタレートによって構成されていてもよい。
これらの構成によれば、拡散レンズアレイの変形を防止することができる。
【００１２】
また、前記透明部材は、スクリーン全体の剛性を確保しうる厚さに形成されていることが望ましい。
この構成によれば、支持基板により拡散レンズアレイの剛性を確保しうるとともに、拡散レンズアレイの変形を防止することができる。
【００１３】
また、前記透明部材の観察者側には、スクリーン全体の剛性を確保しうる支持基板が配置されていることが望ましい。
この構成によれば、支持基板により拡散レンズアレイの剛性を確保することができる。また、支持基板が拡散レンズアレイの透明部材に固着されていないので、支持基板の伸縮に起因して拡散レンズアレイに変形が発生するのを防止することができる。
【００１４】
一方、本発明に係る背面投射型ディスプレイ装置は、上述した透過型スクリーンを備えたことを特徴とする。
この構成によれば、拡散レンズアレイの変形を防止しうる透過型スクリーンを備えているので、表示品質に優れた背面投射型ディスプレイ装置を提供することができる。
【発明の効果】
【００１５】
本発明の透過型スクリーンによれば、フレネルレンズをフィルム化した場合でも、拡散レンズアレイの変形を防止することができる。
【発明を実施するための最良の形態】
【００１６】
（第１実施形態）
以下、本発明の第１実施形態につき、図面を参照しながら詳細に説明する。
（背面投射型ディスプレイ装置）
図１は、背面投射型ディスプレイ装置の一例であるリアプロジェクションテレビの側面断面図である。図１に示すリアプロジェクションテレビ１０は、映像光を投射する光源としてのプロジェクタ１２と、映像光を反射する反射鏡１３，１４と、映像光を背面から入射させ正面から出射させる透過型スクリーン２０と、透過型スクリーン２０の正面を外部に露出させつつ全体を覆う筐体１１とを主として構成されている。なお、透過型スクリーン２０の周縁部が枠体（不図示）に固定され、その枠体が筺体１１に固定されて、透過型スクリーン２０がリアプロジェクションテレビ１０に配設されている。
【００１７】
（透過型スクリーン）
図２は、第１実施形態に係る透過型スクリーンの平面断面図である。一般に、透過型スクリーン２０は、映像光を略平行光に変換するフレネルレンズ３０が光源側に配置され、映像光を単位レンズごとに発散させるレンチキュラーレンズアレイ（拡散レンズアレイ）４０が観察者側に配置されて構成されている。第１実施形態に係る透過型スクリーン２０では、フレネルレンズ３０がフィルム状に形成され、レンチキュラーレンズアレイ４０の観察者側には透明部材が固着されている。そして、その透明部材は、スクリーン２０全体の剛性を確保しうる厚さに形成されて、支持基板５０として機能するようになっている。
【００１８】
（フレネルレンズ）
フレネルレンズ３０は、基材３２の光源側に、複数のフレネルレンズ３１を配置して構成されている。基材３２は、ポリエチレンテレフタレート（ＰＥＴ）等の光透過性を有する材料により、横長の略長方形状に形成されている。フレネルレンズ３１は、アクリル等の光硬化性および光透過性を有する樹脂材料等からなる突条を、同心円状に配置して構成されている。このフレネルレンズ３１は、当該部分に入射した映像光を屈折させ、略平行光に変換して出射させるものである。そのため、各フレネルレンズ３１は、映像光の入射角度に応じた傾斜面を備えている。
【００１９】
一方、基材３２の観察者側には、第１拡散部３４が形成されている。第１拡散部３４は、基材３２の観察者側の表面にマット処理を施して、その表面を粗面化することにより形成されている。なお、基材３２の観察者側に拡散フィルムを装着して、第１拡散部３４を形成してもよい。このようなフレネルレンズ３０は、厚さ０．２〜０．８ｍｍ程度のフィルム状に形成されている。
【００２０】
このフレネルレンズ３０を製造するには、まず基材３２となるＰＥＴフィルムの片面を粗面化する。なお、予め片面が粗面化されたＰＥＴフィルムを使用してもよい。次に、フレネルレンズ３１の逆形状が形成された金型内に、基材３２を配置するとともに、光硬化性樹脂を充填する。そして、基材３２の背面から光を照射し、光硬化性樹脂を硬化させて、フレネルレンズ３０を形成する。なお、フレネルレンズ３１の逆形状が形成されたロールを用いて、フレネルレンズ３０を連続形成することも可能である。なお、本実施例では、フレネルレンズに拡散部を設けたが、レンチキュラーレンズアレイが十分な拡散性を持っている場合、フレネルレンズは拡散性を必ずしも保有する必要はない。
【００２１】
（レンチキュラーレンズアレイ）
一方、レンチキュラーレンズアレイ４０は、基材４２の光源側に、複数のレンチキュラーレンズ４１を配置して構成されている。基材４２は、ポリエチレンテレフタレート（ＰＥＴ）等の光透過性を有する材料により、横長の略長方形状に形成されている。レンチキュラーレンズ４１は、アクリル等の光硬化性および光透過性を有する樹脂材料等からなる、略半円柱状のシリンドリカルレンズである。そして、レンチキュラーレンズ４１の長手方向をスクリーンの上下方向に一致させて、複数のレンチキュラーレンズ４１がスクリーンの左右方向に並列配置されている。なお、各レンチキュラーレンズ４１の配列ピッチは１．０ｍｍ以下（好ましくは０．２ｍｍ以下）に設定され、ファインピッチのレンチキュラーレンズアレイ４０が構成されている。
【００２２】
また、基材４２の観察者側には、光吸収性材料からなる遮光層４５が設けられている。この遮光層４５は、基材４２の観察者側の表面であって、レンチキュラーレンズ４１による映像光の非集光部に、ストライプ状に形成されている。その遮光層４５を覆うように、第２拡散部４６が形成されている。第２拡散部４６は、光透過性を有する樹脂製接着剤の内部にシリカ等の光拡散材を分散させて構成され、レンチキュラーレンズ４１による映像光の結像位置の近傍に形成されている。なお、基材４２の観察者側に所定厚さの拡散フィルムを装着して、第２拡散部４６を形成してもよい。
【００２３】
さらに、第２拡散部４６を構成する接着剤を挟んで、基材４２の観察者側に、透明部材（５０）が固着されている。この透明部材は、スクリーン２０全体の剛性を確保しうるように、ガラス材料により厚さ１〜２ｍｍ程度に形成されている。これにより、透明部材は、レンチキュラーレンズアレイ４０の支持基板５０として機能する。
支持基板５０の観察者側には、第３拡散部５２が形成されている。第３拡散部５２は、支持基板５０の観察者側の表面にマット処理を施して、その表面を粗面化することにより形成されている。なお、支持基板５０の観察者側に拡散フィルムを装着して、第３拡散部５２を形成してもよい。
【００２４】
（固着構造）
そして、フレネルレンズ３０の周縁部にシール剤（不図示）が配設されて、フレネルレンズ３０とレンチキュラーレンズアレイ４０とが固着されている。また、シール剤によって両者間の周縁部が密閉封止され、両者間の中央部にはシール剤によって囲まれた空間が形成されている。この空間の内部圧力は、外部圧力より低く設定されている。これにより、フィルム状に形成されたフレネルレンズ３０の中央部が、レンチキュラーレンズアレイから浮上るのを防止している。その結果、映像光の光路の乱れが防止され、映像光を所定位置で結像させることが可能になり、映像におけるボケの発生を防止することができるようになっている。
【００２５】
なお、フレネルレンズ３０とレンチキュラーレンズアレイ４０との固着構造は上記に限られず、例えばフレネルレンズ３０を構成する複数のフレネルレンズ３１の頂部に接着剤を配設し、その接着剤によってフレネルレンズ３０とレンチキュラーレンズアレイ４０とを固着してもよい。また、フレネルレンズ３０の表面に接着剤のラインを格子状に配設し、その接着剤によってフレネルレンズ３０とレンチキュラーレンズアレイ４０とを固着してもよい。また、フレネルレンズとレンチキュラーレンズアレイとは、必ずしも強固に固着されている必要はなく、投影される画像にボケが生じない程度に接近していればよい。特に、フレネルレンズが拡散作用を持たないか、あるいは拡散作用が弱い場合には、投影される画像にボケが生じにくいので、フレネルレンズとレンチキュラーレンズアレイとの距離が離れていてもよい。
【００２６】
本実施形態に係る透過型スクリーン２０では、フレネルレンズ３０の第１拡散部３４、並びにレンチキュラーレンズアレイ４０の第２拡散部４６および第３拡散部５２の、３個の拡散部が形成されている。そのうち、第２拡散部４６が主たる拡散部として機能し、第１拡散部３４および第３拡散部５２が従たる拡散部として機能するようになっている。また、第１拡散部３４から第２拡散部４６までの距離は１ｍｍ程度に設定され、第１拡散部３４から第３拡散部５２までの距離は２ｍｍ以上（好ましくは３ｍｍ以上）に設定されている。このように各拡散部を配置することにより、映像のシンチレーションを防止しうるようになっている。
【００２７】
（映像表示方法）
次に、本実施形態に係る透過型スクリーンを備えた背面投射型ディスプレイ装置において、映像表示を行う方法につき、図１および図２を用いて説明する。
まず、図１に示すプロジェクタ１２から映像光を投射する。この映像光は、反射板１３および反射板１４により反射されて、透過型スクリーン２０の背面に入射する。
【００２８】
次に、図２に示す透過型スクリーン２０において、フレネルレンズ３０に入射した映像光は、まず第１拡散部３４により弱く拡散され、基材３２を透過して、各フレネルレンズ３１に入射する。プロジェクタから放射状に投射された映像光は、各フレネルレンズ３１の傾斜面で屈折されて、略平行光に変換される。その後、フレネルレンズ３０から出射された映像光は、フレネルレンズ３０に密接配置されているレンチキュラーレンズアレイ４０に入射する。
【００２９】
レンチキュラーレンズアレイ４０に入射した映像光は、単位凸レンズであるレンチキュラーレンズ４１ごとに集光され、基材４２の観察者側の表面付近に集まる。なお、遮光層４５はレンチキュラーレンズ４１による映像光の非集光部に形成されているので、映像光はストライプ状の遮光層４５の隙間を透過する。そして、結像後の映像光は、レンチキュラーレンズ４１ごとに放射状に発散される。しかも、第２拡散部４６を透過する過程で映像光が強く拡散される。これにより、背面投射型ディスプレイ装置は広視野角を確保しうるようになっている。その後、映像光は支持基板５０を透過し、第３拡散部５２で弱く拡散されて、レンチキュラーレンズアレイ４０から出射される。
以上により、背面投射型ディスプレイ装置の透過型スクリーンから映像光が出射され、観察者に到達することによって映像表示が行われる。
【００３０】
以上に詳述したように、第１実施形態に係る透過型スクリーン２０は、フレネルレンズ３０がフィルム状に形成され、レンチキュラーレンズアレイ４０の観察者側に支持基板５０が固着され、その支持基板５０は、スクリーン２０全体の剛性を確保しうるように、ガラス材料により所定厚さに形成されている構成とした。
この構成によれば、ガラス材料からなる支持基板５０の剛性により、レンチキュラーレンズアレイ４０の変形を防止することができる。すなわち、基材４２が熱や吸湿等により膨張しても、枠体により周縁部を固定されたレンチキュラーレンズアレイ４０の中央部に反りが発生することなく、その中央部が観察者側または光源側に突出変形するのを防止することができる。
【００３１】
具体的には、雰囲気温度が室温（２５℃）から４０℃に上昇しても、レンチキュラーレンズアレイ４０の中央部における突出変形量を±５ｍｍ以下とすることができる。また、雰囲気温度が寒冷地運搬中の温度（−１０℃）から４０℃に上昇しても、同様に突出変形量を±５ｍｍ以下とすることができる。さらに、温度および湿度が２５℃および０％から４０℃および８０％に同時に上昇しても、同様に突出変形量を±５ｍｍ以下とすることができる。
【００３２】
このように、レンチキュラーレンズアレイ４０の変形を防止することができるので、レンチキュラーレンズアレイ４０における映像光の光路の乱れを防止することができる。その結果、映像光を所定位置で結像させることが可能になり、映像におけるボケの発生を防止することができる。そして、このような透過型スクリーンを採用することにより、映像の表示品質に優れた背面投射型ディスプレイ装置を提供することができる。
【００３３】
なお、支持基板５０をガラス材料で構成する代わりに、次述する第２実施形態と同様に、支持基板５０としての透明部材と、レンチキュラーレンズアレイ４０の基材４２とを、熱や吸湿等による膨張率などの環境特性が類似する材料で構成してもよい。この場合、環境条件が変化しても、支持基板５０と基材４２とが同等に伸縮するので、枠体により周縁部を固定されたレンチキュラーレンズアレイ４０の中央部に反りが発生することなく、その中央部が観察者側または光源側に突出変形するのを防止することができる。
【００３４】
（第２実施形態）
次に、第２実施形態に係る透過型スクリーンにつき、図３を用いて説明する。
図３は、第２実施形態に係る透過型スクリーンの平面断面図である。第２実施形態に係る透過型スクリーン２２０では、レンチキュラーレンズアレイ４０の観察者側に透明部材４８が固着され、透明部材の観察者側にスクリーン２２０全体の剛性を確保する支持基板５０が配置されている。そして、レンチキュラーレンズアレイ４０の基材４２と、透明部材４８とが、環境特性の類似する材料によって構成されている。なお、第１実施形態と同様の構成となる部分については、その詳細な説明を省略する。
【００３５】
第２実施形態に係る透過型スクリーン２２０では、第２拡散部４６の観察者側に、透明部材４８が固着されている。この透明部材４８は、レンチキュラーレンズアレイ４０の基材４２と、熱や吸湿等による膨張率などの環境特性が類似する材料によって構成されている。
具体例を挙げれば、レンチキュラーレンズアレイ４０の基材４２と支持基板５０とを、透明性および耐候性に優れたメタクリル酸メチル（ＭＭＡ）とスチレンとの共重合体（ＭＳ）で構成することが望ましい。その際、レンチキュラーレンズアレイ４０のレンチキュラーレンズ４１および基材４２は、ＭＳ材料を用いて一体的に押出し成型すればよい。
【００３６】
また、透明部材をＭＳ材料またはポリメタクリル酸メチル（ＰＭＭＡ）で構成し、レンチキュラーレンズアレイ４０の基材４２をアクリルフィルムで構成してもよい。ＭＳ材料およびＰＭＭＡ材料を構成するＭＭＡと、アクリルとは、環境特性が類似しているからである。
さらに、従来技術と同様にレンチキュラーレンズアレイ４０の基材４２をポリエチレンテレフタレート（ＰＥＴ）で構成するとともに、透明部材の少なくとも観察者側の表層部をＰＥＴで構成してもよい。この場合には、従来のレンチキュラーレンズアレイ４０の基材４２を流用することができる。
【００３７】
一方、透明部材４８の観察者側には、支持基板５０が配置されている。この支持基板５０は、スクリーン２２０全体の剛性を確保しうるように、ＭＳやＰＭＭＡ、ガラス等の材料により厚さ１〜２ｍｍ程度に形成されている。
支持基板５０の観察者側には、第３拡散部５２が形成されている。第３拡散部５２は、支持基板５０の観察者側の表面にマット処理を施して、その表面を粗面化することにより形成されている。なお、支持基板５０の観察者側に拡散フィルムを装着して、第３拡散部５２を形成してもよい。
【００３８】
なお、第２実施形態では、第２拡散部４６から第３拡散部５２までの距離が長くなるので、映像にボケが生じるおそれがある。そこで、支持基板５０の光源側の表面に第３拡散部５２を設けてもよい。この場合には、透明部材４８を所定厚さに形成することによって、第２拡散部と第３拡散部との距離を適宜設定することが可能になり、映像におけるボケの発生を防止することができる。
【００３９】
そして、第１実施形態と同様に、フレネルレンズ３０の周縁部にシール剤（不図示）が配設されて、フレネルレンズ３０とレンチキュラーレンズアレイ４０とが固着されている。また、シール剤によって囲まれた空間の内部圧力は、外部圧力より低く設定されている。さらに、その周縁部に配置した枠体（不図示）により、フレネルレンズ３０、レンチキュラーレンズアレイ４０および支持基板５０が共締めされている。これにより、支持基板５０は、レンチキュラーレンズアレイ４０に固着されることなく、単に隣接配置されている。
【００４０】
以上に詳述したように、第２実施形態に係る透過型スクリーン２２０では、レンチキュラーレンズアレイ４０の観察者側に透明部材４８が固着され、透明部材の観察者側にスクリーン２２０全体の剛性を確保する支持基板５０が配置され、レンチキュラーレンズアレイ４０の基材４２と透明部材４８とが、環境特性の類似する材料によって構成されている構成とした。
この構成によれば、温度や湿度等の環境条件が変化しても、基材４２および支持基板５０が同等に伸縮する。その結果、枠体により周縁部を固定されたレンチキュラーレンズアレイ４０の中央部に反りが発生することなく、その中央部が観察者側または光源側に突出変形するのを防止することができる。また、支持基板５０がレンチキュラーレンズアレイ４０に固着されていないので、支持基板５０の伸縮に起因してレンチキュラーレンズアレイ４０に変形が発生するのを防止することができる。
【００４１】
なお、本発明の技術的範囲は、上述した実施形態に限定されるものではなく、本発明の趣旨を逸脱しない範囲において、上述した実施形態に種々の変更を加えたものを含む。すなわち、実施形態で挙げた具体的な材料や構成などはほんの一例に過ぎず、適宜変更が可能である。
【００４２】
例えば、上述した各実施形態では、拡散レンズアレイとしてレンチキュラーレンズアレイを採用したが、複数の単位レンズがマトリクス状に配列されてなるマイクロレンズアレイを採用することも可能である。また、拡散レンズアレイとして、第１のシリンドリカルレンズアレイおよび第２のシリンドリカルレンズアレイが交差するように配置されてなるクロスレンチレンズアレイを採用してもよい。さらに、拡散レンズアレイとして、映像光を反射して拡散させる複数の単位レンズが配列されてなるプリズムレンズアレイを採用してもよい。
【００４３】
また、上述した各実施形態では、レンチキュラーレンズアレイにおけるレンチキュラーレンズおよび基材を個別に形成したが、同一材料により一体的に形成することも可能である。同様に、フレネルレンズにおけるフレネルレンズおよび基材を同一材料により一体的に形成することも可能である。
【図面の簡単な説明】
【００４４】
【図１】リアプロジェクションテレビの側面断面図である。
【図２】第１実施形態に係る透過型スクリーンの平面断面図である。
【図３】第２実施形態に係る透過型スクリーンの平面断面図である。
【図４】従来技術に係る透過型スクリーンの平面断面図である。
【符号の説明】
【００４５】
２０‥透過型スクリーン  ３０‥フレネルレンズ  ４０‥レンチキュラーレンズアレイ  ５０‥支持基板
【図１】
2006189545.tif 000003
【図２】
2006189545.tif 000004
【図３】
2006189545.tif 000005
【図４】
2006189545.tif 000006